(57)【特許請求の範囲】
【請求項１】
望遠光学系を構成する左右の鏡筒を連結する連結部と、
前記連結部に前記望遠光学系の光軸方向へ延びるように設けられ、互いに隣接するフォーカスノブ及び視度調節環の回転による駆動力を前記鏡筒内のレンズに伝えるためのフォーカス棒とを備え、
前記視度調節環は前記フォーカスノブと同軸に設けられるとともに前記フォーカスノブ内に収容され、前記視度調節環の一端部が前記フォーカスノブから突出しており、
前記フォーカス棒の一端部を前記フォーカスノブ及び前記視度調節環の内側に配置したことを特徴とする望遠鏡。
【請求項２】
前記左右の各鏡筒内に設けられ、前記レンズを保持するフォーカスレンズ室を光軸方向へ移動させるフォーカス軸と、前記フォーカス軸の一端部に設けられた第１の歯車と、前記フォーカス棒の他端部に設けられ、前記第１の歯車と噛み合う第２の歯車とが設けられていることを特徴とする請求項１記載の望遠鏡。
【請求項３】
前記第１の歯車と前記第２の歯車とは前記フォーカス棒と前記フォーカス軸とを連結する連結板を用いて位置決めされていることを特徴とする請求項２記載の望遠鏡。
【請求項４】
前記視度調節環は前記フォーカスノブの内側であり、前記フォーカス棒の一端部に設けられた第３の歯車と噛み合う、前記フォーカスノブの内側に設けられた第４の歯車を有することを特徴とする請求項１〜３のいずれか１項記載の望遠鏡。
【請求項５】
前記第４の歯車は前記視度調節環の内周面に形成された内歯車であることを特徴とする請求項４記載の望遠鏡。
【請求項６】
前記鏡筒内に設けられ、前記フォーカスレンズ室を光軸方向へ案内する複数の案内ピンを備えていることを特徴とする請求項２項記載の望遠鏡。
【請求項７】
前記左右の鏡筒の対物レンズ寄りには、前記左右の鏡筒を連結する第２の連結部を備えていることを特徴とする請求項１〜６のいずれか１項記載の望遠鏡。
【請求項８】
望遠光学系を構成する左右の鏡筒を連結する連結部と、
前記連結部に前記望遠光学系の光軸方向へ延びるように設けられ、互いに隣接するフォーカスノブ及び視度調節環の回転による駆動力を前記鏡筒内のレンズに伝えるためのフォーカス棒とを備え、
前記フォーカス棒の一端部を前記フォーカスノブの内側に配置し、
前記左右の各鏡筒内に設けられ、前記レンズを保持するフォーカスレンズ室を光軸方向へ移動させるフォーカス軸と、前記フォーカス軸の一端部に設けられた第１の歯車と、前記フォーカス棒の他端部に設けられ、前記第１の歯車と噛み合う第２の歯車とが設けられていることを特徴とする望遠鏡。
【請求項９】
前記第１の歯車と前記第２の歯車とは前記フォーカス棒と前記フォーカス軸とを連結する連結板を用いて位置決めされていることを特徴とする請求項８記載の望遠鏡。
【請求項１０】
前記視度調節環は前記フォーカスノブの内側であり、前記フォーカス棒の一端部に設けられた第３の歯車と噛み合う、前記フォーカスノブの内側に設けられた第４の歯車を有することを特徴とする請求項８又は９記載の望遠鏡。
【請求項１１】
前記第４の歯車は前記視度調節環の内周面に形成された内歯車であることを特徴とする請求項１０記載の望遠鏡。
【請求項１２】
前記鏡筒内に設けられ、前記フォーカスレンズ室を光軸方向へ案内する複数の案内ピンを備えていることを特徴とする請求項８項記載の望遠鏡。
【請求項１３】
前記左右の鏡筒の対物レンズ寄りには、前記左右の鏡筒を連結する第２の連結部を備えていることを特徴とする請求項８〜１２のいずれか１項記載の望遠鏡。
【発明の詳細な説明】
【技術分野】
【０００１】
この発明は望遠鏡に関する。
【背景技術】
【０００２】
従来、双眼鏡は対物レンズを備える左右の鏡筒の他に、焦点調整機構、視度差調整機構等の種々の調整機構を有している。
【特許文献１】特公平７−５４３６８号公報
【発明の開示】
【発明が解決しようとする課題】
【０００３】
上記双眼鏡では、焦点合わせを行う焦点調整機構の一部を構成する焦点合わせホイールとジオプター（視度差調整機構）を調節するジオプター調節ホイールとは、連結部（ねじ軸、伝動歯車等が収容される部分）を挟んで光軸方向で対向する位置に配置されている。また、両ホイールのねじ軸及び伝動歯車が同軸（光軸方向）上に配置されている。更に、連結部には対物レンズを光軸方向へ移動させるためのねじ軸、伝動歯車等が総て収容されている。そのため、連結部の光軸方向の寸法は大きくなる。
【０００４】
この発明はこのような事情に鑑みてなされたもので、その課題は、連結部の光軸方向の寸法を小さくすることである。
【課題を解決するための手段】
【０００５】
前述の課題を解決するため請求項１記載の発明は、望遠光学系を構成する左右の鏡筒を連結する連結部と、前記連結部に前記望遠光学系の光軸方向へ延びるように設けられ、互いに隣接するフォーカスノブ及び視度調節環の回転による駆動力を前記鏡筒内のレンズに伝えるためのフォーカス棒とを備え、前記視度調節環は前記フォーカスノブと同軸に設けられるとともに前記フォーカスノブ内に収容され、前記視度調節環の一端部が前記フォーカスノブから突出しており、前記フォーカス棒の一端部を前記フォーカスノブ及び前記視度調節環の内側に配置したことを特徴とする。
【０００６】
請求項２記載の発明は、請求項１記載の望遠鏡において、前記左右の各鏡筒内に設けられ、前記レンズを保持するフォーカスレンズ室を光軸方向へ移動させるフォーカス軸と、前記フォーカス軸の一端部に設けられた第１の歯車と、前記フォーカス棒の他端部に設けられ、前記第１の歯車と噛み合う第２の歯車とが設けられていることを特徴とする。
【０００７】
請求項３記載の発明は、請求項２記載の望遠鏡において、前記第１の歯車と前記第２の歯車とは前記フォーカス棒と前記フォーカス軸とを連結する連結板を用いて位置決めされていることを特徴とする。
【０００８】
請求項４記載の発明は、請求項１〜３のいずれか１項記載の望遠鏡において、前記視度調節環は前記フォーカスノブの内側であり、前記フォーカス棒の一端部に設けられた第３の歯車と噛み合う、前記フォーカスノブの内側に設けられた第４の歯車を有することを特徴とする。
【０００９】
請求項５記載の発明は、請求項４記載の望遠鏡において、前記第４の歯車は前記視度調節環の内周面に形成された内歯車であることを特徴とする。
【００１０】
請求項６記載の発明は、請求項２項記載の望遠鏡において、前記鏡筒内に設けられ、前記フォーカスレンズ室を光軸方向へ案内する複数の案内ピンを備えていることを特徴とする。
【００１１】
請求項７記載の発明は、請求項１〜６のいずれか１項記載の望遠鏡において、前記左右の鏡筒の対物レンズ寄りには、前記左右の鏡筒を連結する第２の連結部を備えていることを特徴とする。
請求項８記載の発明は、望遠光学系を構成する左右の鏡筒を連結する連結部と、前記連結部に前記望遠光学系の光軸方向へ延びるように設けられ、互いに隣接するフォーカスノブ及び視度調節環の回転による駆動力を前記鏡筒内のレンズに伝えるためのフォーカス棒とを備え、前記フォーカス棒の一端部を前記フォーカスノブの内側に配置し、前記左右の各鏡筒内に設けられ、前記レンズを保持するフォーカスレンズ室を光軸方向へ移動させるフォーカス軸と、前記フォーカス軸の一端部に設けられた第１の歯車と、前記フォーカス棒の他端部に設けられ、前記第１の歯車と噛み合う第２の歯車とが設けられていることを特徴とする。
請求項９記載の発明は、請求項８記載の望遠鏡において、前記第１の歯車と前記第２の歯車とは前記フォーカス棒と前記フォーカス軸とを連結する連結板を用いて位置決めされていることを特徴とする。
請求項１０記載の発明は、請求項８又は９記載の望遠鏡において、前記視度調節環は前記フォーカスノブの内側であり、前記フォーカス棒の一端部に設けられた第３の歯車と噛み合う、前記フォーカスノブの内側に設けられた第４の歯車を有することを特徴とする。
請求項１１記載の発明は、請求項１０記載の望遠鏡において、前記第４の歯車は前記視度調節環の内周面に形成された内歯車であることを特徴とする。
請求項１２記載の発明は、請求項８項記載の望遠鏡において、前記鏡筒内に設けられ、前記フォーカスレンズ室を光軸方向へ案内する複数の案内ピンを備えていることを特徴とする。
請求項１３記載の発明は、請求項８〜１２のいずれか１項記載の望遠鏡において、前記左右の鏡筒の対物レンズ寄りには、前記左右の鏡筒を連結する第２の連結部を備えていることを特徴とする。
【発明の効果】
【００１２】
この発明によれば、連結部の光軸方向の寸法を小さくして重量の軽減を図ることができる。
【発明を実施するための最良の形態】
【００１３】
以下この発明の実施の形態を図面に基づいて説明する。
【００１４】
図１はこの発明の第１実施形態に係る双眼鏡の破断面を示す概念図、図２は図１の部分拡大図、図３は図２のIII−III線に沿う断面を示す概念図である。
【００１５】
この双眼鏡は望遠鏡光学系を構成する左右の鏡筒２０Ａ，２０Ｂと両鏡筒２０Ａ，２０Ｂを連結する連結部３０とフォーカス機構に操作力を与えるフォーカスノブ６と視度調節機構に操作力を与える視度調節環７とを備えている。
【００１６】
左右の鏡筒２０Ａ，２０Ｂは眼幅調整できるように機軸ＭＡを中心としてそれぞれ所定角度回転可能である。また、左右の鏡筒２０Ａ，２０Ｂはそれぞれフォーカスレンズ（レンズ）Ｌ１を有している。
【００１７】
図２に示すようにフォーカスレンズＬ１を保持するフォーカスレンズ室２にはめねじ２ａが形成されている。めねじ２ａには光軸ＬＸ方向へ延びる管状のフォーカス軸３のおねじ３ａが螺合している。フォーカス軸３は案内ピン９に沿って移動可能であるとともに、フォーカス軸３と同軸上に配置された案内ピン９を中心として回転可能である。案内ピン９と光軸ＬＸとは平行である。
【００１８】
図１に示すように、フォーカスレンズ室２は複数の案内ピン８によって光軸ＬＸ方向へ案内される（図1では１つの案内ピン８だけが見える）。案内ピン８は本体１に支持されている。複数の案内ピン８によってめねじ２ａとおねじ３ａとのガタに起因するフォーカスレンズ室２の光軸回りの遊びを減らすことができる。
【００１９】
フォーカス軸３の外周面にはめねじ２ａとおねじ３ａとのガタに起因するフォーカスレンズ室２の光軸ＬＸ方向のガタをキャンセルするバネ１８が設けられている。また、図２に示すようにフォーカス軸３の一端部には歯車（第１の歯車）３Ａが形成され、歯車３Ａはフォーカス棒４の他端部に形成された歯車（第２の歯車）４Ｂと噛み合っている。
【００２０】
歯車３Ａと歯車４Ｂとは連結板１５を用いて位置決めされている（図３参照）。歯車３Ａと歯車４Ｂとは連結板１５とフォーカス軸３のフランジ部３ｃと押え板３ｂとで挟持されている。
【００２１】
フォーカス棒４の中間部は本体１に螺合する案内環１０に摺動可能に支持されている。フォーカス棒４は光軸ＬＸ方向に移動可能であるとともに、軸ＦＡを中心として回転可能である。２つのフォーカス棒４のうちの一方のフォーカス棒４の一端部には、視度調節環７の内周面に形成された内歯車（第４の歯車）７Ｄと噛み合う歯車（第３の歯車）４Ｃが形成されている。フォーカス棒４、歯車４Ｂ、歯車３Ａ、フォーカス軸３及びフォーカスレンズ室２で視度調節機構が構成される。歯車４Ｃと噛み合う歯車を視度調節環７の内歯車７Ｄとしたので、フォーカス棒４の一端部を視度調節環７の内側に配置することが可能になる。
【００２２】
視度調整環７は、連結部３０に回転不能に固定された中心軸１１に螺合する段付き軸１２に、飾り板１４及びフォーカスノブ６で取り付けられ、機軸ＭＡを中心として回転可能であるが、光軸ＬＸ方向へ移動することはできない。
【００２３】
なお、２つのフォーカス棒４のうちの他方のフォーカス棒４の一端部には歯車４Ｃは形成されていない。したがって、他方のフォーカス棒４の一端部は視度調整環７の内側に形成された内歯車７Ｄと噛み合っていない。
【００２４】
また、フォーカス棒４の一端部には円周方向へ延びる溝４ａが形成されている。この溝４ａにはフォーカスリード環５の外周面に形成されたフォーク状の係合部５ａが係合している。フォーカスリード環５は光軸ＬＸ方向へ移動できるが、機軸ＭＡを中心として回転できない。
【００２５】
フォーカスリード環５の内周面に形成されたリードねじ５ｂはフォーカスノブ６の円筒部６ｂの外周面に形成されたねじ６ａに螺合している。フォーカスノブ６は段付き軸１２に、止め輪１３で取り付けられている。フォーカスノブ６は光軸ＬＸ方向へ移動できないが、機軸ＭＡを中心として回転できる。フォーカスノブ６と視度調整環７とは同軸である。フォーカスリード環５、フォーカス棒４、連結板１５、フォーカス軸３及びフォーカスレンズ室２でフォーカス機構が構成される。
【００２６】
なお、フォーカス棒４の一端部にはフォーカスレンズＬ１の位置を調整するためのスリワリ４Ｄが形成されている。スリワリ４Ｄの形状は−であっても＋であってもよい。また、フォーカスノブ６の端面は蓋１７によって塞がれている。
【００２７】
また、対物レンズ寄りの左右鏡筒間には第２の連結部１９が設けられている。これは左右鏡筒間の強度を向上させるものである。連結部３０の光軸方向の寸法を小さくすると強度が低下するおそれがある。この強度を補うのが第２の連結部１９である。フォーカス棒４の一端部をフォーカスノブ６の内部に収容させることで連結部３０の光軸方向をより小さくする本発明の望遠鏡では、第２の連結部１９は強度を低下させないために重要な部材である。
【００２８】
次に、この双眼鏡のピント調整を説明する。なお、眼幅調整は既に行われているものとする。
【００２９】
フォーカスノブ６を回転させると、ねじ６ａが回転し、係合部５ａが光軸ＬＸ方向へ移動する。係合部５ａが光軸ＬＸ方向への移動すると、左右のフォーカス棒４とフォーカス軸３とフォーカスレンズ室２とが一体的に光軸ＬＸ方向へ移動する。
【００３０】
その結果、フォーカスレンズＬ１が光軸ＬＸ方向へ移動し、観察対象に対して同時に左右の望遠光学系のピント合わせが行われる。
【００３１】
次に、視度調整を説明する。視度調整環７を回転させると、視度調整環７の回転力は内歯車７Ｄ、歯車４Ｃを介して一方のフォーカス棒４に伝わる。フォーカス棒４に伝わった回転力は歯車４Ｂ、歯車３Ａを介してフォーカス軸３に伝わり、フォーカス軸３が回転する。このとき、フォーカス軸３とめねじ２ａとの螺合量に応じてフォーカスレンズ室２が光軸ＬＸ方向へ移動する。その結果、使用者の左右の眼の視度差が調整される。
【００３２】
この実施形態によれば、連結部３０の眼に近い側に設けたフォーカスノブ６及び視度調節環７の内側にフォーカス棒４の一端部を配置するようにしたので、連結部３０の光軸ＬＸ方向の寸法を従来例より小さくすることができる。その結果、デザイン（形状）の自由度が広がり、しかも鏡筒間の空間を大きく設計することができるので、鏡筒間の空間に容易に手を入れることができる持ち易いものとなる。また、歯車３Ａと歯車４Ｂとを連結板１５を用いて位置決めするようにしたので、歯車３Ａの回転中心と歯車４Ｂの回転中心との間の距離を一定に保つことができ、歯車３Ａと歯車４Ｂとの間の遊びを減らすことができる。更に、複数の案内ピン８によってめねじ２ａとおねじ３ａとのガタに起因するフォーカスレンズ室２の円周方向の遊びを減らすことができる。また、フォーカス棒４とフォーカス軸３とをフォーカス棒４に取り付けられた歯車４Ｂとフォーカス軸３に取り付けられた歯車３Ａとで連結し歯車４Ｂと歯車３Ａとの噛み合いでフォーカス棒４からフォーカス軸３へ駆動力を伝達するので、機軸ＭＡに対して左右の各鏡筒２０Ａ，２０Ｂの寸法をより小さくすることが可能となる。更に、フォーカス軸３が左右の各鏡筒２０Ａ，２０Ｂ内に収容され、フォーカス軸３の軸回転の力をフォーカスレンズ室２の光軸方向の移動力とするので、同様に寸法を小さくすることができる。
【００３３】
図４、５はこの発明の第２実施形態に係る双眼鏡の一部の断面を示す概念図であり、第１実施形態と共通する部分には同一符号を付してその説明を省略する。
【００３４】
この実施形態は、フォーカスノブ６０をリード部６１（第１実施形態のフォーカスノブ６の円筒部６ｂに相当する）とノブ部６２（第１実施形態のフォーカスノブ６の円筒部６ｂ以外の部分に相当する）とで構成し、リード部６１とノブ部６２とをビス６３を用いて一体化するようにした点で、第１実施形態と相違する。
【００３５】
組立て後にフォーカスレンズＬ１の位置を調整するには、まず蓋１７を外してビス６３を露出させる。次に、ビス６３をドライバ（図示せず）を用いて外す。その後、ノブ部６２をリード部６１から分離させる。最後に、視度調整環７を外す（図５参照）。この状態からドライバを用いてフォーカス棒４を回してフォーカスレンズＬ１の位置を調整する。フォーカス棒４を回すにはドライバの先端をスリワリ４Ｄに押し当ててドライバの握り部分を回せばよい。
【００３６】
なお、第１実施形態の場合には、蓋１７、止め輪１３を外した後、フォーカスノブ６を回してフォーカスリード環５との螺合を外し、最後に、視度調整環７を外す（図５参照）。
【００３７】
この実施形態によれば、第１実施形態と同様の効果を奏するとともに、組立て後のフォーカスレンズＬ１の位置の調整の際の作業が第１実施形態より簡単である。
【００３８】
図６（ａ）はこの発明の第３実施形態に係る双眼鏡の一部の断面を示す概念図、図６（ｂ）は図６（ａ）のＡ矢視方向から見たフォーカスノブの側面図であり、第１実施形態と共通する部分には同一符号を付してその説明を省略する。
【００３９】
この実施形態は、フォーカスノブ１６０にフォーカスレンズＬ１の位置を調整するための調整用穴１６０ｂを形成した点で第１実施形態と相違する。
【００４０】
フォーカスノブ１６０には周方向へ等間隔に３つの調整用穴１６０ｂが形成されている。そのため、蓋１７を外すだけでフォーカス棒４を回してフォーカスレンズＬ１の位置を調整することができる。ただし、視度調整環７の歯車７Ｄと噛み合う歯車４Ｃが形成されているフォーカス棒４を回すと視度調整環７も同時に回るため、一方のフォーカスレンズＬ１の位置を調整する場合だけ意味がある。
【００４１】
この実施形態によれば、第１実施形態と同様の効果を奏するとともに、組立て後のフォーカスレンズＬ１の位置の調整の際の作業が第１実施形態より簡単である。
【００４２】
なお、上記各実施形態は左右の鏡筒を有する双眼の望遠鏡で説明したが、単眼の望遠鏡の鏡筒にフォーカス機構、視度調節機構を設け、両機構のリードを異ならせ、例えばフォーカス機構を粗動のフォーカス調節に、視度調節機構を微動のフォーカス調節にそれぞれ用いるようにしてもよい。このようにすれば、フォーカス調節操作が行い易くなる。
【図面の簡単な説明】
【００４３】
【図１】図１はこの発明の第１実施形態に係る双眼鏡の破断面を示す概念図である。
【図２】図２は図１の部分拡大図である。
【図３】図３は図２のIII−III線に沿う断面を示す概念図である。
【図４】図４はこの発明の第２実施形態に係る双眼鏡の一部の断面を示す概念図である。
【図５】図５はこの発明の第２実施形態に係る双眼鏡の一部の断面を示す概念図である。
【図６】図６（ａ）はこの発明の第３実施形態に係る双眼鏡の一部の断面を示す概念図、図６（ｂ）は図６（ａ）のＡ矢視方向から見たフォーカスノブの側面図である。
【符号の説明】
【００４４】
２０Ａ，２０Ｂ：鏡筒、２：フォーカスレンズ室、３：フォーカス軸、３Ａ，４Ｂ，４Ｃ，７Ｄ：歯車、４：フォーカス棒、６，１６０：フォーカスノブ、７：視度調節環、８：案内ピン、１５：連結板、１９：第２の連結部、３０：連結部、Ｌ１：フォーカスレンズ（レンズ）。
【図１】
0005027588.tif 000002
【図２】
0005027588.tif 000003
【図３】
0005027588.tif 000004
【図４】
0005027588.tif 000005
【図５】
0005027588.tif 000006
【図６】
0005027588.tif 000007